(57)【要約】【課題】反射屈折光学系において、適切な光量調整手段位置を規定し、光量調整手段の小型化と光量ムラを低減すること。【解決手段】第一の反射鏡と、該第一の反射鏡より物体側に第二の反射鏡を有し、前記第一の反射鏡より物体側に第一の正レンズ有し、前記第一の反射鏡より像側に、屈折光学系及び物性素子を備えた光量調整手段を有することを特徴とする。【選択図】図１
2017219642.tif 000002
【特許請求の範囲】
【請求項１】
第一の反射鏡と、該第一の反射鏡より物体側に第二の反射鏡を有し、 
前記第一の反射鏡より物体側に第一の正レンズ有し、 
前記第一の反射鏡より像側に、屈折光学系及び物性素子を備えた光量調整手段を有することを特徴とする反射屈折光学系。
【請求項２】
前記光量調整手段は、一対の電極の間に配置されている電解質およびエレクトロクロミック性有機化合物を含んだ組成物を有するエレクトロクロミック素子であることを特徴とする請求項１に記載の反射屈折光学系。
【請求項３】
前記光量調整手段において、光束が通る領域の直径をEa、 
第一の反射鏡から光量調整手段までの光軸上の空間的距離をLaとするとき、 
0.01<Ea/La<37
を満足することを特徴とする請求項１又な請求項２に記載の反射屈折光学系。
【請求項４】
前記反射屈折光学系は、前記光量調整手段より物体側に第二の正レンズ有し、前記第一の正レンズの焦点距離をf1、前記第二の正レンズの焦点距離をf2とする時、 
0.1<f2/f1<0.5 
を満足することを特徴とする請求項１乃至請求項３の何れか一項に記載の反射屈折光学系。
【請求項５】
前記光量調整手段において、光束が通る領域の直径をEa、前記第二の正レンズと前記光量調整手段の光軸上の空間的距離をLbとする時、 
0.1<Ea/Lb<4.0 
を満足することを特徴とする請求項１乃至請求項４の何れか一項に記載の反射屈折光学系。
【請求項６】
前記第二の正レンズは、前記光量調整手段より物体側の正レンズ成分の中で、最も前記光量調整手段に光軸上の距離が短いことを特徴とする請求項１乃至請求項５の何れか一項に記載の反射屈折光学系。
【請求項７】
請求項１乃至請求項６の何れか一項に記載の反射屈折光学系を有することを特徴とする撮像装置。
【発明の詳細な説明】
【技術分野】
【０００１】
本発明は、反射屈折光学系及びそれを有する撮像装置に関し、特にデジタルカメラ、ビデオカメラに好適なものである。
【背景技術】
【０００２】
従来より、特に望遠レンズの全長短縮の方法として反射系を利用した撮像系が提案されている。しかし、反射系特有の課題として、物理的な絞りを配すると小絞り時に画像周辺の光量を大幅に減らす或いは全て遮断してしまうことがある。近年、デジタルカメラにおいても動画対応にしたいニーズは高まっており、光量を調整する機構を備えることは、重要な要素となっている。一方で、物理的な絞りでなく、電圧を変化させて光量を調整する手段がある。
【０００３】
上記のような、反射屈折光学系に電圧を変化させて光量を調整する手段を有した例が開示されている（特許文献１）。また、折り曲げ反射部材を有し、光量調整手段有した例が開示されている（特許文献１）。
【先行技術文献】
【特許文献】
【０００４】
【特許文献１】特開昭５９−１３８号公報
【発明の概要】
【発明が解決しようとする課題】
【０００５】
特許文献１に開示された従来技術には、反射屈折光学系に電圧を変化させて光量を調整する手段を有した例が開示されている。
【０００６】
しかしながら、主鏡物体側に配すると素子が大型化し且つ構造が複雑化する。また、副鏡に配すると光量調整手段の配線が入射光束を遮断する。さらに、光量調整手段の面に対して入射する画面周辺部の光線の角度が付き、画面中心から周辺にかけて光量にムラが発生しやすいという問題点がある。特許文献１は、反射屈折光学系に光量調整手段を配する際、光量調整手段の小型化と光量ムラ低減のための最適な配置に言及した内容についてまでは触れられていない。
【０００７】
本発明では、反射屈折光学系において、適切な光量調整手段位置を規定し、光量調整手段の小型化と斜入射抑制による光量ムラを低減することを目的としている。
【課題を解決するための手段】
【０００８】
上記の目的を達成するために、本発明に係る反射屈折光学系は、
第一の反射鏡と、該第一の反射鏡より物体側に第二の反射鏡を有し、 
前記第一の反射鏡より物体側に第一の正レンズ有し、 
前記第一の反射鏡より像側に、屈折光学系及び物性素子を備えた光量調整手段を有することを特徴とする。
【発明の効果】
【０００９】
本発明に係る反射屈折光学系によれば、適切な光量調整手段位置を規定し、光量調整手段の小型化と光量ムラを低減することができる。
【図面の簡単な説明】
【００１０】
【図１】本発明の実施形態１のレンズ断面図
【図２】本発明の実施形態２のレンズ断面図
【図３】本発明の実施形態３のレンズ断面図
【図４】本発明の実施形態４のレンズ断面図
【図５】本発明の実施形態５のレンズ断面図
【図６】本発明の実施形態１における収差図
【図７】本発明の実施形態２における収差図
【図８】(a)、(b)  本発明の実施形態３の広角端と望遠端における収差図
【図９】本発明の実施形態４における収差図
【図１０】本発明の実施形態５における収差図
【図１１】本発明の撮像装置の要部概略図
【発明を実施するための形態】
【００１１】
本発明の目的を達成するための構成は、複数の反射鏡と、少なくとも１つ正レンズと、 屈折光学系及び物性素子を備えた光量調整手段を有し、適切に配置したことを特徴とする。
【００１２】
上記のように、物性素子を備えた光量調整手段と屈折光学系を第一の反射鏡より像側に配することによって、物体側から第一の反射鏡と第二の反射鏡で反射し、第一の反射鏡穴径を通過する光線領域のみ光量を調整すればよい。すなわち、第一の反射鏡より像側に配した場合に対して光量調整手段を小型化することができ、さらに第一の正レンズと屈折光学系により光量調整手段の面に対して入射する画面周辺部の光線の角度を抑制し、光量ムラ低減を実現できるものである。前記反射屈折光学系に関して、以下の構成を満足することを特徴としている。
【００１３】
物性素子を備えた光量調整手段とは、例えば、一対の電極の間に配置されている電解質およびエレクトロクロミック性有機化合物を含んだ組成物を有するエレクトロクロミック素子であることにより、波長依存性の少ない且つ電力消費の少ない光量調整手段とすることができる。
【００１４】
以下、条件式数値は、無限遠合焦時の数値とする。前記反射屈折光学系に関して、以下の条件式を満足することを特徴としている。
0.1<Ea/La<37  ・・・(1)
但し、
Eaは前記光量調整手段において、光束が通る領域の直径、Laは第一の反射鏡から光量調整手段までの光軸上の空間的距離を表す。但し、像側に向かって正の値と規定している。
【００１５】
条件式(1)は、光量調整手段の系の大きさと第一の反射鏡との光軸上の間隔の比を規定するものであって、下限を超えると、光量調整手段が大型化する。逆に上限を超えると、光量調整手段に対して入射する周辺部の光線の角度が付き、光線が光量調整手段の内部を通過する光路長に差異が生じ、光量ムラになりやすい或いは、第一の反射鏡にめりこみ、構成の難易度が増す。
【００１６】
さらに望ましくは、以下の条件式(1a)範囲とすることで、より小型化かつ光量ムラを低減した反射屈折光学系を実現できるものである。
0.15<Ea/La<36  ・・・(1a)
さらに望ましくは、以下の条件式(1b)範囲とすることで、より小型化かつ光量ムラを低減した反射屈折光学系を実現できるものである。
0.25<Ea/La<35  ・・・(1b)
前記反射屈折光学系に関して、以下の条件式を満足することを特徴としている。
【００１７】
前記反射屈折光学系は、光量調整手段より物体側に配し、且つ前記屈折光学系より物体側に配した第二の正レンズ有し、
0.01<f2/f1<0.5  ・・・(2)
但し、
f1は第一の正レンズの焦点距離、f2は光量調整手段より物体側に配し、且つ前記屈折光学系より物体側に配した第二の正レンズの焦点距離を表す。
【００１８】
条件式(2)は、第二の正レンズの屈折力と第一の正レンズの屈折力の比を規定するものであって、下限を超えると、光学系全体が大きくなり、それに伴って光量調整手段の系も大きくなる。逆に上限を超えると、光量調整手段に対して入射する周辺部の光線の角度が付き、光量ムラになりやすい。
【００１９】
さらに望ましくは、以下の条件式(2a)範囲とすることで、より小型化かつ光量ムラを低減した反射屈折光学系を実現できるものである。
0.02<f2/f1<0.45  ・・・(2a)
さらに望ましくは、以下の条件式(2b)範囲とすることで、より小型化かつ光量ムラを低減した反射屈折光学系を実現できるものである。
0.03<f2/f1<0.41  ・・・(2b)
前記反射屈折光学系に関して、
以下の条件式を満足することを特徴としている。
0.1<Ea/Lb<4.0    ・・・(3)
但し、
Eaは前記光量調整手段において、光束が通る領域の直径、 
Lbは前記第二の正レンズと前記光量調整手段の光軸上の空間的距離を表す。
【００２０】
条件式(3)は、光量調整手段の系の大きさと第二の正レンズと反射屈折光学系の光軸上の間隔の比を規定するものであって、下限を超えると、光量調整手段が大型化する。逆に上限を超えると、光量調整手段の径が大きくなる。
【００２１】
さらに望ましくは、以下の条件式(3a)範囲とすることで、より小型化かつ光量ムラを低減した反射屈折光学系を実現できるものである。
0.15<Ea/Lb<3.5    ・・・(3a)
さらに望ましくは、以下の条件式(3b)範囲とすることで、より小型化かつ光量ムラを低減した反射屈折光学系を実現できるものである。
0.25<Ea/Lb<3.3    ・・・(3b)
前記反射屈折光学系に関して、以下の構成満足することを特徴としている。
第二の正レンズは、光量調整手段より物体側の正レンズ成分の中で、最も光量調整手段に光軸上の距離が短いとすることにより、小型な光量調整手段とすることができる。
【００２２】
以下で示す図面１乃至５において、fで囲んだ領域は無限から有限距離に合焦する際に移動するレンズ成分を表すが、必ずしもこれに限定されるものではない。
【００２３】
［実施例１］
以下、図１は本発明の第１の実施形態による反射屈折光学系である。
【００２４】
実施形態１の反射屈折光学系は、軸上光束マージナル光線通過順に、正屈折力の第１レンズＬ１、第一の反射鏡Ｍ１、第二の反射鏡Ｍ２、正屈折力の第２レンズＬ２、光量調整手段OCを配して構成されている。
【００２５】
本実施例では、光量調整手段OCの系の大きさと第一の反射鏡との光軸上の間隔の比を１．６９（条件式（１））として、光量調整手段OCの小型化と光量ムラ低減を実現している。さらに、第二の正レンズの焦点距離と第一の正レンズの焦点距離の比を０．２２（条件式（２））とすることで、特に第二の正レンズの屈折力を強くすることが可能で、光量調整手段OCに対して入射する周辺部の光線の角度が付き、光量ムラになることを防いでいる。
【００２６】
さらに、光量調整手段OCの系の大きさと第二の正レンズと反射屈折光学系の光軸上の間隔の比を１．６０（条件式（３））とすることで、光量調整手段OCの小型化と光量ムラ低減を実現している。これらによって、光量調整手段OCの小型化と光量ムラ低減を実現することができる。
【００２７】
［実施例２］
以下、図２を参照して、本発明の第２の実施形態による反射屈折光学系について説明する。
【００２８】
本実施例では、光量調整手段OCの系の大きさと第一の反射鏡との光軸上の間隔の比を３４．７４（条件式（１））として、光量調整手段OCの小型化と光量ムラ低減を実現している。
【００２９】
さらに、第二の正レンズの焦点距離と第一の正レンズの焦点距離の比を０．２０（条件式（２））とすることで、特に第二の正レンズの屈折力を強くすることが可能で、光量調整手段OCに対して入射する周辺部の光線の角度が付き、光量ムラになることを防いでいる。さらに、光量調整手段OCの系の大きさと第二の正レンズと反射屈折光学系の光軸上の間隔の比を３．２８（条件式（３））とすることで、光量調整手段OCの小型化と光量ムラ低減を実現している。これらによって、光量調整手段OCの小型化と光量ムラ低減を実現することができる。その他の点は、実施例１と同じなので詳細説明は割愛する。
【００３０】
［実施例３］
以下、図３を参照して、本発明の第３の実施形態による反射屈折光学系について説明する。
【００３１】
実施形態３の反射屈折光学系はズームレンズであり、軸上光束マージナル光線通過順に、正屈折力の第１レンズ群Ｇ１、負屈折力の第２レンズ群Ｇ２、正屈折力の第３レンズ群Ｇ３から構成されている。なお、ズームタイプの場合、条件式（１）、（３）は望遠端且つ無限合焦状態における数値とする。
【００３２】
本実施例では、光量調整手段OCの系の大きさと第一の反射鏡との光軸上の間隔の比を０．２９（条件式（１））として、光量調整手段OCの小型化と光量ムラ低減を実現している。
【００３３】
さらに、第二の正レンズの焦点距離と第一の正レンズの焦点距離の比を０．０４（条件式（２））とすることで、特に第二の正レンズの屈折力を強くすることが可能で、光量調整手段OCに対して入射する周辺部の光線の角度が付き、光量ムラになることを防いでいる。さらに、光量調整手段OCの系の大きさと第二の正レンズと反射屈折光学系の光軸上の間隔の比を０．２７（条件式（３））とすることで、光量調整手段OCの小型化と光量ムラ低減を実現している。その他の点は、実施例１と同じなので詳細説明は割愛する。
【００３４】
［実施例４］
以下、図４を参照して、本発明の第４の実施形態による反射屈折光学系について説明する。
【００３５】
本実施例では、光量調整手段OCの系の大きさと第一の反射鏡との光軸上の間隔の比を０．８６（条件式（１））として、光量調整手段OCの小型化と光量ムラ低減を実現している。
【００３６】
さらに、第二の正レンズの焦点距離と第一の正レンズの焦点距離の比を０．４０（条件式（２））とすることで、特に第二の正レンズの屈折力を強くすることが可能で、光量調整手段OCに対して入射する周辺部の光線の角度が付き、光量ムラになることを防いでいる。さらに、光量調整手段OCの系の大きさと第二の正レンズと反射屈折光学系の光軸上の間隔の比を１．０３（条件式（３））とすることで、光量調整手段OCの小型化と光量ムラ低減を実現している。これらによって、光量調整手段OCの小型化と光量ムラ低減を実現することができる。その他の点は、実施例１と同じなので詳細説明は割愛する。
【００３７】
［実施例５］
以下、図５を参照して、本発明の第５の実施形態による反射屈折光学系について説明する。
【００３８】
本実施例では、光量調整手段OCの系の大きさと第一の反射鏡との光軸上の間隔の比を１７．３７（条件式（１））として、光量調整手段OCの小型化と光量ムラ低減を実現している。
【００３９】
さらに、第二の正レンズの焦点距離と第一の正レンズの焦点距離の比を０．２０（条件式（２））とすることで、特に第二の正レンズの屈折力を強くすることが可能で、光量調整手段OCに対して入射する周辺部の光線の角度が付き、光量ムラになることを防いでいる。さらに、光量調整手段OCの系の大きさと第二の正レンズと反射屈折光学系の光軸上の間隔の比を２．７６（条件式（３））とすることで、光量調整手段OCの小型化と光量ムラ低減を実現している。これらによって、光量調整手段OCの小型化と光量ムラ低減を実現することができる。その他の点は、実施例１と同じなので詳細説明は割愛する。
【００４０】
以上、本発明の好ましい実施形態について説明したが、本発明はこれらの実施形態に限定されず、その要旨の範囲内で種々の変形及び変更が可能である。例えば、受光面上に形成された光学像を電気信号に変換する撮像素子を備えた撮像装置と組み合わせた場合などには歪曲収差量によっては電気的な補正を加えても良い。
【００４１】
次に、各実施形態におけるデータを以下に示す。ｉは物体面からの面の順序を示し、ｒｉはレンズ面の曲率半径、ｄｉは第ｉ面と第ｉ＋１面との間のレンズ肉厚および空気間隔、ｎｉ，ｖｉはそれぞれｄ線に対する屈折率およびアッベ数を表す。また、非球面に記載されている、ｋ，Ａ，Ｂ，Ｃ，Ｄ，Ｅなどは非球面係数である。非球面形状は光軸からの高さｈの位置での光軸方向の変位を、面頂点を基準にしてｘとするとき以下の式で定義される。
ｘ＝（ｈ2／Ｒ）／［１＋｛１−（１＋ｋ）（ｈ／Ｒ）2｝1/2］＋Aｈ4＋Bｈ6＋Cｈ8
ただし、ここでＲは曲率半径である。
（数値実施例１）
単位 mm
面データ
面番号       r        d      nd         vd
1        196.879    7.00   1.51646    62.4           
2        511.315   59.36                             
3       -135.915    3.80   1.51633    64.1           
4       -175.614   -3.80                             
5       -135.931  -49.79                             
6       -153.510   -1.30   1.60311    60.6           
7       -112.162    1.30                             
8       -134.264   49.79                             
9       -135.869    3.80   1.51633    64.1           
10       -175.602    1.11                             
11*       222.336    1.71   1.57190    53.6           
12         20.169    1.81   1.78526    24.1           
13         24.000   23.31                             
14          ∞       0.24   1.51633    64.2           
15          ∞       2.00                             
16        200.962    4.54   1.52864    67.5           
17        -46.461  (可変)                             
像面        ∞   
非球面データ
第11面
K = 0.00000e+000  A 4=-1.26675e-006  A 6= 5.03975e-008  A 8=-3.59845e-010  
各種データ
焦点距離     400.00  
Fナンバー      5.60  
画角           1.96  
像高          13.66  
レンズ全長   247.73  
BF            33.07  
（数値実施例２）
単位 mm
面データ
面番号       r        d      nd         vd
1        177.652    7.00   1.53584    63.5           
2        397.468   43.00                             
3       -148.216    9.95   1.51633    64.1           
4       -176.721   -9.95                             
5       -148.746  -38.85                             
6       -364.772   -2.00   1.60311    60.6           
7       -120.605    2.00                             
8       -225.864   35.85                             
9        100.000    3.00   1.49677    81.6           
10       -148.216    9.95   1.51633    64.1           
11       -191.689    0.50                             
12          ∞       0.24   1.51633    64.2           
13          ∞       9.00                             
14*      -120.431    2.50   1.51234    67.9           
15         27.079   14.55                             
16        100.000    2.50   1.51690    63.2           
17         33.569    4.94   1.63319    59.4           
18       -103.199  (可変)                             
像面        ∞   
非球面データ
第14面
K = 0.00000e+000  A 4= 1.59696e-006  A 6= 1.75799e-008  A 8=-3.63540e-011  
各種データ
焦点距離     300.00  
Fナンバー      4.20  
画角           2.61  
像高          13.66  
レンズ全長   231.96  
BF            36.18  
（数値実施例３）
単位 mm
面データ
面番号       r        d      nd         vd
1        171.410    5.70   1.57898    57.2           
2        247.858   40.21                             
3       -105.057    5.00   1.58913    61.1           
4       -139.631   -5.00                             
5       -105.081  -37.42                             
6        -79.115   29.40                             
7         20.294    8.02   1.48714    70.2           
8       -104.405    5.00   1.58913    61.1           
9       -138.927    1.24                             
10         19.205    2.66   1.65233    36.3           
11        203.502    1.36                             
12        -68.492    1.25   1.89351    36.0           
13         15.139  (可変)                             
14*       394.442    1.29   1.86864    41.8           
15         15.091    2.50   1.75603    26.2           
16         35.506  (可変)                             
17*        27.659    2.00   1.52953    72.2           
18        500.586    2.00   1.49733    81.1           
19         39.824  (可変)                             
20          ∞       0.06   1.51633    64.2           
21          ∞       6.61                            
像面        ∞   
非球面データ
第14面
K = 0.00000e+000  A 4= 2.28841e-006  A 6= 2.52710e-008  A 8=-1.55462e-010  
第17面
K = 0.00000e+000  A 4=-2.51773e-006  A 6=-3.98098e-009  
各種データ
ズーム比      1.40 
焦点距離     406.78   481.45   569.00   444.76   517.79  
Fナンバー      6.70     8.78    11.61     7.68     9.92  
画角           1.92     1.63     1.38     1.76     1.51  
像高          13.66    13.66    13.66    13.66    13.66  
レンズ全長   221.03   242.79   264.56   231.91   253.67  
BF             6.61     6.61     6.61     6.61     6.61  
d13            9.13     5.62     1.73     7.37     3.99  
d16           15.18    21.99    15.07    19.97    22.45  
d19           40.00    58.46    91.04    47.85    70.53  
d21            6.61     6.61     6.61     6.61     6.61  
ズームレンズ群データ
群  始面    焦点距離  
G 1    1     183.25  
G 2   14     -37.50  
G 3   17     138.41  
（数値実施例４）
単位 mm
面データ
面番号       r        d      nd         vd
1        214.359    7.00   1.51938    52.0           
2        491.214   69.55                             
3       -137.340    3.80   1.51633    64.1           
4       -175.465   -3.80                             
5       -137.408  -49.79                             
6       -153.504   -1.30   1.60311    60.6           
7       -113.713    1.30                             
8       -134.325   49.79                             
9       -137.147    3.80   1.51633    64.1           
10       -175.602    0.74                             
11*       137.989    2.00   1.52407    51.1           
12         22.500    1.81   1.80609    47.0           
13         24.000   23.31                             
14          ∞       0.24   1.51633    64.2           
15          ∞       2.00                             
16       -105.821    4.00   1.60026    44.7           
17        -32.785  (可変)                             
像面        ∞   
非球面データ
第11面
K = 0.00000e+000  A 4=-4.38931e-006  A 6= 6.56321e-008  A 8=-3.43852e-010  
各種データ
焦点距離     400.00  
Fナンバー      5.60  
画角           1.96  
像高          13.66  
レンズ全長   269.89  
BF            45.65  
（数値実施例５）
単位 mm
面データ
面番号       r        d      nd         vd
1        177.652    7.00   1.53584    63.5           
2        397.468   43.00                             
3       -148.216    9.95   1.51633    64.1           
4       -176.721   -9.95                             
5       -148.746  -38.85                             
6       -364.772   -2.00   1.60311    60.6           
7       -120.605    2.00                             
8       -225.864   35.85                             
9        100.000    3.00   1.49677    81.6           
10       -148.216    9.95   1.51633    64.1           
11       -191.689    1.00                             
12          ∞       0.24   1.51633    64.2           
13          ∞       9.00                             
14*      -120.431    2.50   1.51234    67.9           
15         27.079   14.55                             
16        100.000    2.50   1.51690    63.2           
17         33.569    4.94   1.63319    59.4           
18       -104.282  (可変)                             
像面        ∞   
非球面データ
第14面
K = 0.00000e+000  A 4= 1.59696e-006  A 6= 1.75799e-008  A 8=-3.63540e-011  
各種データ
焦点距離     300.00  
Fナンバー      4.20  
画角           2.61  
像高          13.66  
レンズ全長   231.40  
BF            35.11  
以下に各数値実施例の条件式の値を示す。
【００４２】
【表１】
2017219642.tif 000003
【００４３】
次に、各実施例に示したような反射屈折光学系を撮影光学系として用いた、デジタルカメラの実施形態を図１１を用いて説明する。
【００４４】
図１１において、２０はカメラ本体、２１は本発明の反射屈折光学系によって構成された撮像光学系である。２２は撮像光学系２１によって形成された被写体像を受光するＣＣＤなどの撮像素子（光電変換素子）である。２３は撮像素子２２が受光した被写体像を記録する記録手段、２４は不図示の表示素子に表示された被写体像を観察するためのファインダーである。
【００４５】
上記表示素子は液晶パネルなどによって構成され、撮像素子２２上に形成された被写体像が表示される。
【００４６】
このように本発明の反射屈折光学系をビデオカメラなどの光学機器に適用することにより、高い光学性能を有する撮像装置を実現している。
【符号の説明】
【００４７】
Ｌ１  第一の正レンズ、Ｌ２  第二の正レンズ、Ｇ１  第１レンズ群、
Ｇ２  第２レンズ群、Ｇ３  第３レンズ群、
ＩＰ  像面（CCD等に代表される固体撮像装置）、ＯＣ  光量調整手段、
Ｓ  サジタル像面、Ｍ  メリディオナル像面、ｆ  合焦時に移動するレンズ成分
【図１】
2017219642.tif 000004
【図２】
2017219642.tif 000005
【図３】
2017219642.tif 000006
【図４】
2017219642.tif 000007
【図５】
2017219642.tif 000008
【図６】
2017219642.tif 000009
【図７】
2017219642.tif 000010
【図８】
2017219642.tif 000011
【図９】
2017219642.tif 000012
【図１０】
2017219642.tif 000013
【図１１】
2017219642.tif 000014